(57)【要約】【課題】  印刷装置に恒常的に保持は印刷情報は最終印刷形式記録されているために、記録される媒体に応じることができなかった。【解決手段】  印刷装置は自身に保存される印刷管理情報が印刷のために印刷装置に送られた印刷元情報と印刷加工情報と同一の管理情報を含む場合には、印刷管理情報により同定される印刷情報を印刷し、それ以外の場合には、送られた印刷元情報と印刷加工情報を使用して印刷情報への加工を行なった後、印刷する。【選択図】  図１
2006168049.tif 000002
【特許請求の範囲】
【請求項１】
印刷に供せられる情報を伝送する伝送手段により一体化された印刷端末と印刷装置からなる印刷システムにおいて、
前記印刷端末は印刷元情報と印刷加工情報とを前記伝送手段より前記印刷装置に伝送し、
前記印刷装置は自身に保存される印刷管理情報に基づき、印刷元情報と印刷加工情報に従い、印刷元情報から印刷情報への加工、印刷情報の保存、印刷情報の印刷と印刷管理情報の更新を、或いは印刷情報の印刷を行なう、
ことを特徴とする印刷システム。
【請求項２】
前記請求項１に記載の印刷管理情報が印刷元情報を印刷情報に加工する際に使用される情報を含む前記請求項１に記載の印刷システム。
【請求項３】
前記請求項２に記載の印刷管理情報が印刷元情報を印刷情報に加工する際に使用される情報が印刷プロファイル情報とその印刷プロファイル情報の設定値である前記請求項１及び２に記載の印刷システム。
【発明の詳細な説明】
【技術分野】
【０００１】
本発明は自身に印刷情報を持続的に保存する能力を有する印刷装置とその印刷装置に接続される端末により形成されるシステムに関わるものである。
【背景技術】
【０００２】
従来、印刷装置それ自体に印刷情報を恒常的に保持し必要時に応じ、全印刷処理時間を短縮するために、再度印刷に供することは行なわれていた。（例えば、特許文献１参照）
しかしながら、従来例においては、印刷装置に恒常的に保持は印刷情報は最終印刷形式で記録されていた。
【特許文献１】特開２００１−１０５６８９号公報
【発明の開示】
【発明が解決しようとする課題】
【０００３】
しかしながら、従来例においては、上記に述べたように印刷装置に恒常的に保持は印刷情報は最終印刷形式記録されているために、記録される媒体に応じことが出来ず、所望の印刷を適切に行なうこと殆んど不可能であった。
【課題を解決するための手段】
【０００４】
本発明は上記従来例の問題を鑑みて行われたものである。
【０００５】
情報類を伝送する伝送手段により一体化された印刷端末と印刷情報とその印刷管理情報を保存する印刷装置からなる印刷システムにおいて、印刷装置は自身に保存される印刷管理情報が印刷のために印刷装置に送られた印刷元情報と印刷加工情報と同一の管理情報を含む場合には、印刷管理情報により同定される印刷情報を印刷し、それ以外の場合には、送られた印刷元情報と印刷加工情報を使用して印刷情報への加工を行なった後、印刷する。
【０００６】
また、印刷後、印刷装置は印刷管理情報の更新を行なう。
【発明の効果】
【０００７】
以上説明したように本発明においては、印刷装置内に既存である印刷情報は、印刷元情報から印刷情報への加工が不要となり処理時間の短縮が図れる。
【０００８】
また、印刷装置内には、印刷元情報から印刷情報への加工の際に使用された加工情報であるプロファイル名称及びその設定値が保存され、印刷情報の同一性を調べる際に比較されるために、所望外の印刷状況で印刷されることが防止でき、確実な印刷操作が行なえる。
【発明を実施するための最良の形態】
【０００９】
以下に、本発明の実施の形態について図面を参照して説明する。
【００１０】
尚、本発明の記録装置は印刷情報、及び印刷管理情報を記憶する媒体としてハードディスクを採用しているが、ハードディスクに限らず、書き換え可能な不揮発性記録媒体で有れば、構成可能である。
【実施例１】
【００１１】
図１は本発明の第一の実施例をあらわすもので、個々の図を用いて説明する。
【００１２】
（１−１）は当システムの操作を行なう印刷端末であり、（１−２）は（１−１）印刷端末と（１−３）印刷装置との間の伝送を行なう伝送手段であり、（１−３）は（１−５）印刷情報を印刷する印刷装置であり、（１−４）は（１−３）印刷装置内に在し、（１−５）印刷情報と（１−６）印刷管理情報を記録保持する記憶媒体であり当実施例ではハードディスクであり、（１−５）は（１−３）印刷装置により発現させられる印刷情報で当実施例では複数で有り得る。（１−６）は個々の（１−５）印刷情報の管理情報をあらわす印刷管理情報である。
【００１３】
（１−７）は（１−６）印刷管理情報の細目を示したものである。各々、印刷情報名称部には（１−５）印刷情報の個々の名称が、変換情報部には印刷元情報が印刷情報に加工される際に使用された印刷加工情報である印刷プロファイルの名称とその設定値が、印刷情報部には（１−５）印刷情報を取得するための情報が記録される。
【００１４】
また、（１−１）印刷端末及び（１−３）印刷装置内にはこれから述べる動作を司る仕組みと、印刷端末より伝送された印刷元情報と印刷加工情報とが一時的に（１−４）記憶媒体に保持されるが、個々図示していない。
【００１５】
以上の構成において、本実施例の動作を説明する。
【００１６】
まず初めに（１−１）印刷端末及び（１−３）印刷装置個々の電源投入時に（１−１）印刷端末及び（１−３）印刷装置の初期化が行なわれ、（１−２）伝送手段を経由して互いに正常に動作していることが確認された後、システムとしての機能が始まる。
【００１７】
（１−１）印刷端末より印刷元情報と印刷元情報から印刷情報に変換する際に用いられるプロファイル及びその設定値が（１−２）伝送手段を経由して（１−３）印刷装置に伝送されることで、印刷処理が開始される。
【００１８】
ここで、印刷プロファイル及びその設定値は印刷情報が印刷される印刷媒体に合わせ適切に選択され、またその値も状況に応じ設定されて、（１−１）印刷端末より（１−２）伝送手段を経由して（１−３）印刷装置に伝送される。
【００１９】
（１−３）印刷装置は（１−１）印刷端末より（１−２）伝送手段を経由して伝送された印刷元情報と印刷元情報から印刷情報に変換する際に用いられるプロファイル及びその設定値を一時的に（１−４）記憶媒体に保持する。
【００２０】
次いで、（１−３）印刷装置は一時的に保持する印刷元情報の名称、プロファイル名称及びその設定値と自身に記憶する（１−６）印刷管理情報の印刷情報名称部に記憶される名称、変換情報部に記憶される名称と値とをそれぞれを比較する。
【００２１】
ここでの比較において、同一であると確認された場合には、該当する（１−６）印刷管理情報の印刷情報部に記憶される取得情報により該当する（１−５）印刷情報を同定し、直ちに印刷を行なう。
【００２２】
（１−３）印刷装置は一時的に保持する印刷元情報の名称、プロファイル名称及びその設定値と自身に記憶する（１−６）印刷管理情報の印刷情報名称部に記憶される名称、変換情報部に記憶される名称と値とをそれぞれを比較した際に同一ではないと確認された場合には、（１−１）印刷端末より（１−２）伝送手段を経由して伝送され一時的に（１−４）記憶媒体に保持される印刷元情報を印刷元情報から印刷情報に変換する際に用いられるプロファイルを用い、その設定値に従って加工する。
【００２３】
次いで、（１−３）印刷装置は加工後の情報を印刷する。
【００２４】
その後、（１−３）印刷装置は（１−６）印刷管理情報を一項増加し、その印刷情報名称部に印刷元情報の名称を、変換情報部にプロファイル名称及びその設定値を、印刷情報部に印刷情報の取得情報を記録する。
【００２５】
最後に、（１−３）印刷装置は自身の（１−４）記憶媒体に保持された印刷元情報と印刷元情報から印刷情報に変換する際に用いられるプロファイル及びその設定値を（１−４）記憶媒体より抹消し、一連の印刷処理を終了する。
【実施例２】
【００２６】
図２は本発明の第二の実施例をあらわすもので、第一の実施例を表した図１に近いものであるが、ここでも個々の図を用いて説明する。
【００２７】
（２−１）は当システムの操作を行なう印刷端末であり、（２−２）は（２−１）印刷端末と（２−３）印刷装置との間の伝送を行なう伝送手段であり、（２−３）は（２−５）印刷情報を印刷する印刷装置であり、（２−４）は（２−３）印刷装置内に在し、（２−５）印刷情報と（２−６）印刷管理情報を記録保持する記憶媒体であり当実施例ではハードディスクであり、（２−５）は（２−３）印刷装置により発現させられる印刷情報で当実施例では複数で有り得る。（２−６）は個々の（２−５）印刷情報の管理情報をあらわす印刷管理情報である。（２−７）は印刷元情報が印刷情報に加工される際に使用される印刷加工情報である印刷プロファイルである。
【００２８】
（２−８）は（２−６）印刷管理情報の細目を示したものである。各々、印刷情報名称部には（２−５）印刷情報の個々の名称が、変換情報部には印刷元情報が印刷情報に加工される際に使用された印刷加工情報である印刷プロファイルの名称とその設定値が、印刷情報部には（２−５）印刷情報を取得するための情報が記録される。
【００２９】
また、（２−２）印刷端末及び（２−３）印刷装置内にはこれから述べる動作を司る仕組みと、印刷端末より伝送された印刷元情報と印刷プロファイルの名称とその設定値とが一時的に（２−４）記憶媒体に保持されるが、個々図示していない。
【００３０】
以上の構成において、本実施例の動作を説明する。
【００３１】
まず初めに（２−１）印刷端末及び（２−３）印刷装置個々の電源投入時に（２−２）印刷端末及び（２−３）印刷装置の初期化が行なわれ、（２−２）伝送手段を経由して互いに正常に動作していることが確認された後、システムとしての機能が始まる。
【００３２】
（２−１）印刷端末より印刷元情報が印刷情報に加工される際に使用される印刷加工情報である印刷プロファイルが（２−２）伝送手段を経由して（２−３）印刷装置に伝送され、（２−３）印刷装置は（１−４）記憶媒体に持続的に保持する。ここで、印刷プロファイルは当システムが管理する、つまり印刷に供せられる印刷媒体に応じた数が伝送され保持される。また、ここで、同一の名称を有する印刷プロファイルが（２−３）印刷装置に伝送された場合には、（２−３）印刷装置は新の印刷プロファイルで旧の印刷プロファイルを書き換える。
【００３３】
（２−１）印刷端末より印刷元情報と印刷元情報から印刷情報に変換する際に用いられるプロファイルの名称及びその設定値が（２−２）伝送手段を経由して（２−３）印刷装置に伝送されることで、印刷処理が開始される。
【００３４】
ここで、印刷プロファイル名称及びその設定値は印刷情報が印刷される印刷媒体に合わせ適切に選択され、またその値も状況に応じ設定されて、（２−１）印刷端末より（２−２）伝送手段を経由して（２−３）印刷装置に伝送される。
【００３５】
（２−３）印刷装置は（１−２）印刷端末より（２−２）伝送手段を経由して伝送された印刷元情報と印刷元情報から印刷情報に変換する際に用いられるプロファイル名称及びその設定値を一時的に（２−４）記憶媒体に保持する。
【００３６】
次いで、（２−３）印刷装置は一時的に保持する印刷元情報の名称、プロファイル名称及びその設定値と自身に記憶する（２−６）印刷管理情報の印刷情報名称部に記憶される名称、変換情報部に記憶される名称と値とをそれぞれを比較する。
【００３７】
ここでの比較において、同一であると確認された場合には、該当する（２−６）印刷管理情報の印刷情報部に記憶される取得情報により該当する（２−５）印刷情報を同定し、直ちに印刷を行なう。
【００３８】
（２−３）印刷装置は一時的に保持する印刷元情報の名称、プロファイル名称及びその設定値と自身に記憶する（２−６）印刷管理情報の印刷情報名称部に記憶される名称、変換情報部に記憶される名称と値とをそれぞれを比較した際に同一ではないと確認された場合には、（２−１）印刷端末より（２−２）伝送手段を経由して伝送され一時的に（２−４）記憶媒体に保持される印刷元情報を指定されたプロファイルを用い、その設定値に従って加工する。
【００３９】
次いで、（２−３）印刷装置は加工後の情報を印刷する。
【００４０】
その後、（２−３）印刷装置は（２−６）印刷管理情報を一項増加し、その印刷情報名称部に印刷元情報の名称を、変換情報部に使用したプロファイル名称及びその設定値を、印刷情報部に印刷情報の取得情報を記録する。
【００４１】
最後に、（２−３）印刷装置は自身の（２−４）記憶媒体に保持された印刷元情報と印刷元情報から印刷情報に変換する際に用いられたプロファイル名称及びその設定値を（２−４）記憶媒体より抹消し、一連の印刷処理を終了する。
【００４２】
ここでは、（２−１）印刷端末と（２−３）印刷装置の電源投入後、システムとしての機能が確立した後に（２−３）印刷装置の印刷プロファイルを更新する様にしたが、印刷プロファイルを恒常的に（２−３）印刷装置に保持し、更新は必要に応じ操作により行なう様、実施することは可能である。
【図面の簡単な説明】
【００４３】
【図１】図１は本発明の第一の実施例をあらわすものである。
【図２】図２は本発明の第二の実施例をあらわすものである。
【符号の説明】
【００４４】
（１−１）  印刷端末
（１−２）  伝送手段
（１−３）  印刷装置
（１−４）  記憶媒体
（１−５）  印刷情報
（１−６）  印刷管理情報
（１−７）  印刷管理情報の細目
（２−１）  印刷端末
（２−２）  伝送手段
（２−３）  印刷装置
（２−４）  記憶媒体
（２−５）  印刷情報
（２−６）  印刷管理情報
（２−７）  印刷プロファイル
（２−８）  印刷管理情報の細目
【図１】
2006168049.tif 000003
【図２】
2006168049.tif 000004